(57)【要約】【課題】カバー筒を所定位置まで下降させるまではノズルを閉塞する手段を設け、もって液体を誤射する不都合を低減する液体噴出容器を提案する。【解決手段】収納容器２と、円筒形の押下げヘッド４６を有する噴出器２０と、上記押下げヘッド４６の外面に回動自在に設けた外郭部材５０と、外郭部材５０の周りを覆うように収納容器２に螺下降可能に取り付けられたカバー筒６０とを具備し、収納容器２の胴体４とカバー筒６０との間に、このカバー筒の回転操作により、カバー筒６０が初期の位置からノズルＮより低い下方位置へ降下するように設けた昇降手段Ｕを設け、外郭部材５０とカバー筒６０とを連係させ、外郭部材５０は、カバー筒６０が初期の位置にあるときに上記ノズルＮを閉じ、カバー筒６０が下方位置へ移動したときにノズルＮの閉塞が解除されるように形成した閉塞壁５２を有している。【選択図】図１
2011136722.tif 000002
【特許請求の範囲】
【請求項１】
胴体４の上方へ口頸部８を起立する収納容器２と、
口頸部８内へ垂下するポンプシリンダ２２の上部を、口頸部８外面に嵌めた装着筒２８で抜止めするとともに、ポンプシリンダ２２内へ挿入した作動部材３６の上半部に、ノズルＮを周面に有する円筒形の押下げヘッド４６を形成してなる噴出器２０と、
上記押下げヘッド４６の外面に回動自在に設けた外郭部材５０と、
少なくとも上記外郭部材５０の周りを覆うように収納容器２に螺下降可能に取り付けられたカバー筒６０と、を具備しており、
収納容器２の胴体４とカバー筒６０との間に、このカバー筒の回転によりカバー筒６０が初期の位置からノズルＮより低い下方位置へ降下するように設けた昇降手段Ｕを設け、
カバー筒６０と外郭部材５０との間に、カバー筒６０と外郭部材５０とを相対的な上下動が可能に連係させ、外郭部材５０がカバー筒６０と連動するように連係手段Ｌを設け、
外郭部材５０は、カバー筒６０が初期の位置にあるときに上記ノズルＮを閉じ、カバー筒６０が下方位置へ移動したときに、ノズルＮの閉塞が解除されるように形成した閉塞壁５２を有することを特徴とする、液体噴出容器。
【請求項２】
上記閉塞壁５２は、押下げヘッド４６の外周面に沿った円筒壁であり、かつその一側部に窓孔Ｗを開口してあり、
カバー筒６０が初期の位置にあるときに窓孔穿設箇所以外の筒壁部分がノズルＮを閉じ、カバー筒６０が下方位置へ移動したときに、ノズルＮと窓孔Ｗとが合致するように形成したことを特徴とする、請求項１記載の液体噴出容器。
【請求項３】
上記連係手段Ｌを、外郭部材５０の外面とカバー筒６０の内面との一方に沿って縦設した回動腕部５６と、それら外郭部材５０の外面とカバー筒６０の内面との他方から、回動腕部の周方向両側を挟むように延びる一対の回動板６８，６８とで形成したことを特徴とする、請求項１又は請求項２記載の液体噴出容器。
【請求項４】
上記カバー筒の上端部から、上記外郭部材５０の上面周縁に対応した形状の開口６７を有する頂壁６６を張り出し、
かつこの頂壁の開口６７と上記外郭部材５０の上端部との間に破断可能な封緘片７０を架設したことを特徴とする、請求項２又は請求項３記載の液体噴出容器。
【発明の詳細な説明】
【技術分野】
【０００１】
本発明は、液体噴出容器に関する。なお、本明細書において、「液体」というときにはクリーム状物や霧などの液状物を含むものとする。
【背景技術】
【０００２】
押下げヘッド付きの液体噴出ポンプを有する液体噴出容器において、押下げヘッドを覆うカバー筒を設けたものが知られている（特許文献１）。
【０００３】
またポンプ式ではないが、容器体から起立する注出管と、この注出管の周囲に回動可能に装着したカバー筒と、このカバー筒の周囲に設けた操作筒とを具備し、カバー筒の外面に螺旋溝を穿設するとともに、操作筒の内面から突出する係合突子を螺旋溝内へ挿入し、操作筒を回転させることで回転筒が下降し、注出管が外部に露出するように構成したものが知られている（特許文献２）。
【先行技術文献】
【特許文献】
【０００４】
【特許文献１】特開平９−１２２５４５号
【特許文献２】特開２００３−２６７４１７
【発明の概要】
【発明が解決しようとする課題】
【０００５】
特許文献１の液体噴出容器は、ポンプストッパー機構が備わっておらず、未使用時でも押下げヘッドを押すことができる。従って誤って内容物を噴出するおそれがある。
【０００６】
本発明の目的は、カバー筒を所定位置まで下降させるまではノズルを閉塞する手段を設け、もって液体を誤射する不都合を低減する液体噴出容器を提案することである。
【課題を解決するための手段】
【０００７】
第１の手段は、胴体４の上方へ口頸部８を起立する収納容器２と、
口頸部８内へ垂下するポンプシリンダ２２の上部を、口頸部８外面に嵌めた装着筒２８で抜止めするとともに、ポンプシリンダ２２内へ挿入した作動部材３６の上半部に、ノズルＮを周面に有する円筒形の押下げヘッド４６を形成してなる噴出器２０と、
上記押下げヘッド４６の外面に回動自在に設けた外郭部材５０と、
少なくとも上記外郭部材５０の周りを覆うように収納容器２に螺下降可能に取り付けられたカバー筒６０と、を具備しており、
収納容器２の胴体４とカバー筒６０との間に、このカバー筒の回転によりカバー筒６０が初期の位置からノズルＮより低い下方位置へ降下するように設けた昇降手段Ｕを設け、
カバー筒６０と外郭部材５０との間に、カバー筒６０と外郭部材５０とを相対的な上下動が可能に連係させ、外郭部材５０がカバー筒６０と連動するように連係手段Ｌを設け、
外郭部材５０は、カバー筒６０が初期の位置にあるときに上記ノズルＮを閉じ、カバー筒６０が下方位置へ移動したときに、ノズルＮの閉塞が解除されるように形成した閉塞壁５２を有している。
【０００８】
本手段は、カバー筒が回動により昇降するとともに押下げヘッドのノズルＮが閉じ（図２参照）、或いは開く（図１１参照）如き構成を提案している。この構成は、閉塞壁を有する外郭部材が押下げヘッドに対して回動することで実現される。後述の如く押下げヘッドは収納容器に対して回動不能とすることが望ましい。「閉塞」とは“密閉”に限られず、内容物の噴出が制限された状態という程度の意味である。押下げヘッドの押下げに対する抵抗が大きく、利用者が誤動作に気付くように設けるとよい。
【０００９】
第２の手段は、第１の手段を有し、かつ上記閉塞壁５２は、押下げヘッド４６の外周面に沿った円筒壁であり、かつその一側部に窓孔Ｗを開口してあり、
カバー筒６０が初期の位置にあるときに窓孔穿設箇所以外の筒壁部分がノズルＮを閉じ、カバー筒６０が下方位置へ移動したときに、ノズルＮと窓孔Ｗとが合致するように形成している。
【００１０】
本手段は、外郭部材の好適な一例として、窓孔Ｗ付きの円筒壁を提案している。カバー筒が下降している状態では図１１に示すように押下げヘッドのノズルＮとの外郭部材の窓孔Ｗとが一致し、常時は図２の如く両者が一致せず、外郭部材がノズルＮを閉塞するようにしている。窓孔ＷがノズルＮと一致したときに外郭部材（又はカバー筒）を係止する位置合わせ手段を設けると好適である（例えば図５に符号３５、５３で表す凹凸状の係合手段を参照）。
【００１１】
第３の手段は、第１の手段又は第２の手段を有し、かつ上記連係手段Ｌを、外郭部材５０の外面とカバー筒６０の内面との一方に沿って縦設した回動腕部５６と、それら外郭部材５０の外面とカバー筒６０の内面との他方から、回動腕部の周方向両側を挟むように延びる一対の回動板６８，６８とで形成している。
【００１２】
本手段では、先の手段にいう、カバー筒と補助筒とをこれら両筒の相対的な上下動を可能に連係させた連係手段の好適な一例を提案している。図１に示す例では、外郭部材側に回動腕部を、カバー筒側に回動板を設けているが、カバー筒内面から回動腕部を突出し、外郭部材側から回動腕部を挟む一対の回動板を突出しても構わない。「カバー筒内面」とは、カバー筒が有する頂壁の裏面を含み、この裏面から回動腕部又は回動板部を垂下しても構わない。
【００１３】
第４の手段は、第２の手段又は第３の手段を有し、かつ上記カバー筒の上端部から、上記外郭部材５０の上面周縁に対応した形状の開口６７を有する頂壁６６を張り出し、
かつこの頂壁の開口６７と上記外郭部材５０の上端部との間に破断可能な封緘片７０を架設した。
【００１４】
本手段では、図１２に示すように外郭部材とカバー筒の頂壁との間に封緘片を設けることで製品の信頼性を高めることを提案している。
【発明の効果】
【００１５】
第１の手段に係る発明によれば、利用者がカバー筒を押し下げるまではノズルＮが閉塞されているから、内容物を誤射するおそれを低減することができる。
【００１６】
第２の手段に係る発明によれば、外郭部材５０の閉塞壁５２を、一側部に窓孔Ｗを開口した円筒壁としたから、ノズルＮを確実に閉塞することができる。
【００１７】
第３の手段に係る発明によれば、連係手段Ｌを回動腕部と回動板６８とで形成したから、カバー筒６０から外郭部材５０へ確実に回動力を伝達することができる。
【００１８】
第４の手段に係る発明によれば、カバー筒６０の頂壁６６と外郭部材５０との間に封緘片７０を設けたから、封緘機能を発揮できる。
【図面の簡単な説明】
【００１９】
【図１】本発明の第１の実施形態に係る液体噴出容器の一部切欠き側面図である。
【図２】図１の容器の平面図である。
【図３】図１の容器のＡ−Ａ方向縦断面図である。
【図４】図１の容器のＢ−Ｂ方向横断面図である。
【図５】図１の容器のＣ−Ｃ方向横断面図である。
【図６】図１の容器のうちカバー筒を除く部分の側面図である。
【図７】図１の容器の分解斜視図である。
【図８】図１の容器のカバー筒の回転途中の段階での側面図である。
【図９】図８の段階に対応する平面図である。
【図１０】図１の容器のカバー筒の回転完了の段階での側面図である。
【図１１】図１０の段階に対応する平面図である。
【図１２】図１の容器の変形例の要部側面図である。
【発明を実施するための形態】
【００２０】
図１から図１１は、本発明の第１の実施形態に係る液体噴出容器を示している。この液体噴出容器は、収納容器２と、噴出器２０と、外郭部材５０と、カバー筒６０とで構成している。これら各部材は特に断らない限り合成樹脂で形成することができる。
【００２１】
収納容器２は、図１の如く胴体４を有し、かつ胴体上方へ口頸部８を起立している。
【００２２】
図示例では、上記収納容器２を、容器体２Ａと補助筒２Ｂとで形成している。後述の案内溝を補助筒の外面に形成するためである。図示の容器体２Ａは、胴体相当部分を、下から順に大径胴部分と中径胴部分と小径胴部分とに形成し、この小径胴部分から肩部６を介して口頸部８を起立している。
【００２３】
上記補助筒２Ｂは、円環状の頂板１０から足の短い内筒１２と足の長い外筒１４とを垂下してなる２重筒形である。補助筒２Ｂは、上記頂板１０の内周部を上記肩部６に載置するとともに、内筒１２下端に付設した係合凸条１３を、上記容器体の小径胴部分に形成した係合溝に係止させて、容器体に対して回動不能に設けている。
【００２４】
上記外筒１４の外面には、図６に描くように後述の係合突子を案内するための案内溝１６を形成する。この案内溝１６は、斜溝部１６ｃの上下両端側に、上下両辺が水平な第１の停止部１６ｂ及び第２の停止部１６ｄを形成し、第１の停止部１６ｂから外筒１４の上端面へ至る垂直な導入口１６ａを短く延ばしている。導入口１６ａ、第１の停止部１６ｂ、斜溝部１６ｃ、第２の停止部１６ｄの各連続箇所には、それぞれ係合突子が乗り越え可能なストッパ１８を形成している。案内溝は、外筒の両面に形成するとよい。
【００２５】
噴出器２０は、図３に示す如くポンプシリンダ２２と、装着筒部材２７と、作動部材３６とを具備している。
【００２６】
上記ポンプシリンダ２２は、口頸部８内に垂下された筒壁の上端に外向きフランジ２４を有し、この外向きフランジを口頸部８の上端面に係止させるとともに、筒壁下端部に吸込み弁２６を設ける。吸込み弁からは、吸込み管を容器体の底部付近へ垂下する。
【００２７】
上記装着筒部材２７は、上記口頸部外面への螺着させた装着筒２８の上端から内向きフランジ状壁３０を内方突出し、この内向きフランジ状壁の内周から案内筒３２を、また内周よりやや外側から円筒形の起立壁３４を立ち上げてなる。図示の装着筒２８は、螺合筒である小径筒と操作筒である大径筒からなる２重筒としているが、必ずしもこのようにする必要はない。上記内向きフランジ状壁３０は、ポンプシリンダ２２の外向きフランジ２４を口頸部８との間に挟持している。また案内筒３２は、後述の押下げヘッドの下部に摺動自在に嵌合され、起立筒は、後述の外郭部材の周囲を囲んでいる。この起立壁３４の内面には、外郭部材の回動範囲を規制するために周方向に巾の広い断面円弧状の係合溝３５を縦設している。
【００２８】
上記作動部材３６は、図３の如くポンプシリンダ２２内面を摺動する筒状ピストン４０を下端に有するプランジャ３８と、プランジャ内に挿入された弁棒４２と、プランジャの上部外面に嵌合されたピストンガイド４４と、このピストンガイドの上部を嵌合させた第２のシリンダを下面に有する押下げヘッド４６とを具備している。この押下げヘッド４６の外周面は円筒形であり、その前面にはノズルＮを開口している。またピストンガイドはスプリングにより上方へ付勢されており、プランジャの上端部と押下げヘッドの下面との間には吐出弁４８を形成している。
【００２９】
上記押下げヘッド４６は、後述の外郭部材を回したときに、外郭部材とともに回動することのないように設ける。その方法としては、外郭部材を押下げヘッド４６の外面に緩く嵌めてもよく、また例えば案内筒３２と押下げヘッドの対応部分とに回り止めを設けるなどして、周方向に対して固定してもよい。
【００３０】
また押下げヘッド４６の上面中心部には、外郭部材と嵌め合わせるための円形の嵌合穴４７を形成している。
【００３１】
外郭部材５０は、上記押下げヘッド４６に対して回動自在に嵌め合せる。好適な図示の外郭部材５０は、円板形の天板５４の周縁から筒形の閉塞壁５２を、また天板の裏面中央から軸筒５５をそれぞれ垂下している。そしてこの軸筒５５を回動自在に上記嵌合穴４７内に嵌め、かつ上記閉塞壁５２を押下げヘッドの周面に嵌めている。しかし上記嵌合穴４７及び軸筒５５を省略して、単に閉塞壁を押下げヘッド周面に回動可能に嵌着させても構わない。
【００３２】
上記閉塞壁５２は、窓孔Ｗと係合凸部５３と回動腕部５６とを有する。その窓孔Ｗは、図６に示す如く、その左右側壁の一方に開口している。そして常時は閉塞壁５２がノズルＮを閉じており（図２参照）、ノズルＮと窓孔Ｗとが一致すると液体の噴出が可能となる（図１１参照）ように構成されている。回動軸に対する窓孔ＷとノズルＮの角度は図示例では９０°であるが、適宜変更することができる。
【００３３】
上記係合凸部５３は、図５及び図７に示すように、外郭部材５０の筒壁外面の適所（図示例では下端部）に設けられている。この係合凸部は、起立壁３４の係合溝３５内を周方向に摺動可能に形成されており、図２及び図１１に示すように係合溝３５の周方向各縁に係止することで、外郭部材５０の回動範囲を規制している。
【００３４】
上記回動腕部５６は、図６に示すように水平板部５６ａと垂直板部５６ｂとからなる逆Ｌ字形であり、上記外郭部材５０の閉塞壁５２の周面のうち窓孔から離れた一側部から垂下している。下から見た横断面図である図４に示すように、この回動腕部５６の垂直板部５６ｂと外郭部材５０周面とには垂直な補強板５８の両端を連結している。
【００３５】
本実施形態の外郭部材５０は、押下げヘッドの外郭をなすものであるが、図７に示すように押下げヘッドと別体として形成されるため、別部材として説明する。なお、図示例と異なり、外郭部材の閉塞壁５２は、天板の一側から垂下した断面部分円形の垂壁であってもよい。
【００３６】
カバー筒６０は、補助筒２Ｂの外面に嵌合した筒壁６２と、この筒壁の上面を閉塞する頂壁６６とで形成している。この頂壁には、回動腕部を含む外郭部材を垂直方向から見た輪郭に対応する開口６７を形成している。
【００３７】
カバー筒の筒壁下部からは係合突子６４を内方突出している。この係合突子６４は、案内溝１６内に挿入しており、第１の停止部１６ｂから斜溝部１６ｃを経て第２の停止部１６ｄへスライドをするように設けている。これら係合突子６４と案内溝１６とにより案内溝の斜溝部１６ｃを係合突子６４が摺動することでカバー筒６０を昇降させる昇降手段Ｕを形成する。なお、図示例と異なり、案内溝をカバー筒裏面に、また係合突子を収納容器２の胴体４側に形成しても構わない。
【００３８】
カバー筒６０の内周面からは２枚の回動板６８を突出し、これら回動板の間に図４に示すように回動腕部５６を挟むように設ける。これら回動板及び回動腕部の上下巾は、作動部材３６及び外郭部材５０の昇降により回動腕部が回動板の間から離脱しない程度に長くする。カバー筒６０が回転すると、２枚の回動板６８に挟まれた回動腕部５６が追動し、外郭部材が回転する。
【００３９】
本実施形態では、一枚の回動板６８と回動腕部５６とでカバー筒及び外郭部材の連係手段Ｌを形成しているが、その構造は適宜変更することができる。
【００４０】
上記構成によれば、図１の状態で、外郭部材の閉塞壁５２がノズルＮを閉じている。この状態からカバー筒６０を収納容器に対して回動すると、カバー筒６０と同調して外郭部材５０も回動する。図８及び図９の途中状態を経て、図１０及び図１１の状態に至り、窓孔ＷがノズルＮに合致する。この状態で外郭部材とともに押下げヘッドを押し下げると、内容物を噴出することができる。
【００４１】
外郭部材５０の回動範囲は、係合溝３５及び係合凸部５３で規制されているので、係合凸部５３が係合溝３５の周方向の縁部に突き当たるまで回動するだけで、窓孔ＷをノズルＮに位置合わせすることができ、使い勝手がよい。
【００４２】
またカバー筒６０は、ポンプ機構を含む噴出器２０とは分離しているので、カバー筒を簡易に取り外し、内容物を詰め替えることが可能である。また外郭部材５０が、当該部材の平面形状に合致した形状のカバー筒の開口６７から突出するので、意匠的にも良好なデザインとなっている。
【００４３】
図１２は、本実施形態の変形例であり、外郭部材５０とカバー筒６０との各上部間に外郭部材５０の下降により破断可能な封緘片７０を設けている。なお、図示はしないが、外郭部材５０と押下げヘッドとの間には、外郭部材の抜止め手段（係合リブなど）を設けることができる。
【符号の説明】
【００４４】
２…収納容器  ２Ａ…容器体  ４…胴体  ６…肩部  ８…口頸部
２Ｂ…補助筒  １０…頂板  １２…内筒  １３…係合凸条  １４…外筒
１６…案内溝  １６ａ…導入口  １６ｂ…第１の停止部  １６ｃ…斜溝部
１６ｄ…第２の停止部  １８…ストッパ  
２０…噴出器  ２２…ポンプシリンダ  ２４…外向きフランジ  ２６…吸込み弁
２７…装着筒部材  ２８…装着筒  ３０…内向きフランジ状壁  ３２…案内筒
３４…起立壁  ３５…係合溝
３６…作動部材  ３８…プランジャ  ４０…筒状ピストン  ４２…弁棒
４４…ピストンガイド  ４６…押下げヘッド  ４７…嵌合穴  ４８…吐出弁
５０…外郭部材  ５２…閉塞壁  ５３…係合凸部  ５４…天板  ５５…軸筒
５６…回動腕部  ５６ａ…水平板部  ５６ｂ…垂直板部  ５８…補強板
６０…カバー筒  ６２…筒壁  ６４…係合突子  ６６…頂壁  ６７…開口
６８…回動板  ７０…封緘片
Ｌ…連係手段  Ｕ…昇降手段  Ｎ…ノズル  Ｗ…窓孔
【図１】
2011136722.tif 000003
【図２】
2011136722.tif 000004
【図３】
2011136722.tif 000005
【図４】
2011136722.tif 000006
【図５】
2011136722.tif 000007
【図６】
2011136722.tif 000008
【図７】
2011136722.tif 000009
【図８】
2011136722.tif 000010
【図９】
2011136722.tif 000011
【図１０】
2011136722.tif 000012
【図１１】
2011136722.tif 000013
【図１２】
2011136722.tif 000014